(57)【要約】【課題】車線或いは停止線と信号機との関連付けの作業の負担を軽減する。【解決手段】サーバ装置１は、通信部１２が計測車両Ｃの前方を撮影した画像情報１３１ａ、計測車両Ｃの位置情報１３１ｂ、計測車両Ｃの停止及び発進に関する車両情報１３１ｃ、及び、計測車両Ｃの運転者の視線情報１３２を取得する。そして、制御部１１が画像情報１３１ａと、位置情報１３１ｂと、車両情報１３１ｃと、視線情報１３２と、に基づいて、画像情報１３１ａに含まれる信号機のうちの一の信号機と計測車両Ｃが位置する車線及び停止線の少なくともいずれかとの対応付けを行う。【選択図】図３
2019066191.tif 000002
【特許請求の範囲】
【請求項１】
車両の前方を撮影した画像情報を取得する画像情報取得部と、
前記車両の位置情報を取得する位置情報取得部と、
前記車両の停止及び発進に関する車両情報を取得する車両情報取得部と、
前記画像情報、前記位置情報及び前記車両情報に基づいて、前記画像情報に含まれる信号機のうちの一の信号機と、前記位置情報に対応付けられる車線及び停止線の少なくともいずれかと、の対応付けを行う処理部と、
を有することを特徴とする情報処理装置。
【請求項２】
前記車両の運転者の視線情報を取得する視線取得部を更に有し、
前記処理部は、前記画像情報、前記位置情報、前記車両情報及び前記視線情報に基づいて、前記画像情報に含まれる信号機のうちの一の信号機と、前記位置情報に対応付けられる車線及び停止線の少なくともいずれかと、の対応付けを行う、
ことを特徴とする請求項１に記載の情報処理装置。
【請求項３】
前記処理部は、前記視線情報に基づいて、前記画像情報に含まれる信号機のうち前記車両の運転者が注視した信号機を特定することを特徴とする請求項２に記載の情報処理装置。
【請求項４】
前記処理部は、前記信号機の視認回数に基づいて前記運転者が注視した信号機を特定することを特徴とする請求項３に記載の情報処理装置。
【請求項５】
前記処理部は、前記信号機の視認時間に基づいて前記運転者が注視した信号機を特定することを特徴とする請求項３に記載の情報処理装置。
【請求項６】
前記処理部は、前記画像情報に含まれる信号機のうち赤色から青色に切り替わったタイミングと、前記車両が発進したタイミングと、に基づいて、前記画像情報に含まれる信号機のうちの一の信号機と、前記位置情報に対応付けられる車線及び停止線の少なくともいずれかと、の対応付けを行うことを特徴とする請求項１に記載の情報処理装置。
【請求項７】
信号機と車線や停止線との対応付けをする情報処理装置で実行される情報処理方法であって、
前記車両の前方を撮影した画像情報を取得する画像情報取得工程と、
前記車両の位置情報を取得する位置情報取得工程と、
前記車両の停止及び発進に関する車両情報を取得する車両情報取得工程と、
前記画像情報、前記位置情報及び前記車両情報に基づいて、前記画像情報に含まれる信号機のうちの一の信号機と、前記位置情報に対応付けられる車線及び停止線の少なくともいずれかと、の対応付けを行う処理工程と、
を含むことを特徴とする情報処理方法。
【請求項８】
請求項７に記載の情報処理方法を、コンピュータにより実行させることを特徴とする情報処理プログラム。
【発明の詳細な説明】
【技術分野】
【０００１】
本発明は、信号機と車線や停止線との対応付けをする情報処理装置に関する。
【背景技術】
【０００２】
近年、車両に搭載したカメラ、ライダ（ＬｉＤＡＲ：Light Detection And Ranging）などの各種センサにより自車両周辺の状況を取得しながら自立走行する車両（自動運転車両）が開発されている。
【０００３】
この種の自動運転車両が自動運転にて走行するためには、正確な道路情報を有した地図データが必要とされる（例えば、特許文献１を参照）。正確な道路情報とは、例えば、道路幅、車線、信号機、標識等の詳細な位置情報等を含むものである。
【先行技術文献】
【特許文献】
【０００４】
【特許文献１】特開２０１６−４３７４７号公報
【発明の概要】
【発明が解決しようとする課題】
【０００５】
例えば本道と側道等の略同じ進行方向の道路が合流する際には、本道側の信号機と側道側の信号機のそれぞれにより通行が整理されていることがある。このような信号機は、手動運転の場合であれば、運転者が信号機の位置や周囲の標識等からどちらの信号機を注視すればよいかを特定して、その信号機に従うことができる。一方、自動運転車両の場合は、その場で従うべき信号機を特定するのが困難な場合がある。そのため、上述した地図データの道路情報等に車線或いは停止線と信号機との関連付けの情報を含める必要がある。
【０００６】
しかしながら、このような関連付けの情報を取得するための作業は、現地に調査員等が赴いて手動で確認等を行っており、非常に手間がかかっていた。
【０００７】
本発明が解決しようとする課題としては、車線或いは停止線と信号機との関連付けの作業の負担を軽減することが一例として挙げられる。
【課題を解決するための手段】
【０００８】
上記課題を解決するために、請求項１に記載の発明は、車両の前方を撮影した画像情報を取得する画像情報取得部と、前記車両の位置情報を取得する位置情報取得部と、前記車両の停止及び発進に関する車両情報を取得する車両情報取得部と、前記画像情報、前記位置情報及び前記車両情報に基づいて、前記画像情報に含まれる信号機のうちの一の信号機と、前記位置情報に対応付けられる車線及び停止線の少なくともいずれかと、の対応付けを行う処理部と、を有することを特徴としている。
【０００９】
請求項７に記載の発明は、信号機と車線や停止線との対応付けをする情報処理装置で実行される情報処理方法であって、前記車両の前方を撮影した画像情報を取得する画像情報取得工程と、前記車両の位置情報を取得する位置情報取得工程と、前記車両の停止及び発進に関する車両情報を取得する車両情報取得工程と、前記画像情報、前記位置情報及び前記車両情報に基づいて、前記画像情報に含まれる信号機のうちの一の信号機と、前記位置情報に対応付けられる車線及び停止線の少なくともいずれかと、の対応付けを行う処理工程と、を含むことを特徴としている。
【００１０】
請求項８に記載の発明は、請求項７に記載の情報処理方法を、コンピュータにより実行させることを特徴としている。
【図面の簡単な説明】
【００１１】
【図１】本発明の一実施例にかかる情報処理装置を有するシステムの概略構成図である。
【図２】図１に示された情報収集装置の機能構成図である。
【図３】図１に示されたサーバ装置の機能構成図である。
【図４】図１に示されたサーバ装置における信号機と車線との関連付け動作のフローチャートである。
【図５】視線軌跡情報の例を示した説明図である。
【図６】信号機と計測車両Ｃが停車している車線又は停止線との関連付けの具体例である。
【発明を実施するための形態】
【００１２】
以下、本発明の一実施形態にかかる情報処理装置を説明する。本発明の一実施形態にかかる情報処理装置は、画像情報取得部が車両の前方を撮影した画像情報を取得し、位置情報取得部が車両の位置情報を取得し、車両情報取得部が車両の停止及び発進に関する車両情報を取得する。そして、処理部が画像情報、位置情報及び車両情報に基づいて、画像情報に含まれる信号機のうちの一の信号機と、位置情報に対応付けられる車線及び停止線の少なくともいずれかと、の対応付けを行う。このようにすることにより、例えば画像情報に信号機が含まれる場合に、車両の停止や発進等の移動の状態によって、当該車両が位置していた車線或いは停止線と信号機との関連付けを自動的に行うことができる。そのため、関連付け作業の負担を軽減することができる。
【００１３】
また、車両の運転者の視線情報を取得する視線取得部を更に有し、処理部は、画像情報、位置情報、車両情報及び視線情報に基づいて、画像情報に含まれる信号機のうちの一の信号機と、位置情報に対応付けられる車線及び停止線の少なくともいずれかと、の対応付けを行ってもよい。このようにすることにより、運転者の視線情報も利用して、当該車両が位置していた車線或いは停止線と信号機との関連付けを自動的に行うことができる。そのため、関連付け作業の負担を軽減することができる。また、視線という実際の運転者の挙動に基づいているので、精度良く関連付けをすることができる。
【００１４】
また、処理部は、視線情報に基づいて、画像情報に含まれる信号機のうち車両の運転者が注視した信号機を特定してもよい。このようにすることにより、運転者の視線情報により注視した信号機を特定することができる。したがって、当該車両は、この特定された信号機に従って通行したことが分かるため、当該車両の位置情報により、当該車両が位置していた車線或いは停止線と信号機との関連付けを自動的に行うことができる。
【００１５】
また、処理部は、信号機の視認回数に基づいて運転者が注視した信号機を特定してもよい。このようにすることにより、例えば複数回運転者が視認した信号機を運転者が注視した信号機と特定することができる。
【００１６】
また、処理部は、信号機の視認時間に基づいて運転者が注視した信号機を特定してもよい。このようにすることにより、例えば視認時間が長い信号機を運転者が注視した信号機と特定することができる。
【００１７】
また、処理部は、画像情報に含まれる信号機のうち赤色から青色に切り替わったタイミングと、車両が発進したタイミングと、に基づいて、信号機のうちの一の信号機と、位置情報に対応付けられる車線及び停止線の少なくともいずれかと、の対応付けを行うってもよい。このようにすることにより、画像情報と車両情報で対応付けが可能となり、視線の検出が不要となる。
【００１８】
また、本発明の一実施形態にかかる情報処理方法は、画像情報取得工程で車両の前方を撮影した画像情報を取得し、位置情報取得工程で車両の位置情報を取得し、車両情報取得工程で車両の停止及び発進に関する車両情報を取得する。そして、処理工程で画像情報、位置情報及び車両情報に基づいて、画像情報に含まれる信号機のうちの一の信号機と、位置情報に対応付けられる車線及び停止線の少なくともいずれかと、の対応付けを行う。このようにすることにより、例えば画像情報に信号機が含まれる場合に、車両の停止や発進等の移動の状態によって当該車両が位置していた車線或いは停止線と信号機との関連付けを自動的に行うことができる。そのため、関連付け作業の負担を軽減することができる。
【００１９】
また、上述した情報処理方法をコンピュータにより実行させる情報処理プログラムとしてもよい。このようにすることにより、コンピュータを用いて、例えば画像情報に信号機が含まれる場合に、車両の停止や発進等の移動の状態によって当該車両が位置していた車線或いは停止線と信号機との関連付けを自動的に行うことができる。そのため、関連付け作業の負担を軽減することができる。
【実施例】
【００２０】
本発明の一実施例にかかる情報処理装置を図１〜図６を参照して説明する。本発明の一実施例にかかる情報処理装置としてのサーバ装置１は、図１に示したように、インターネット等のネットワークＮを介して地図作成用データを計測する計測車両Ｃに搭載されている情報収集装置３と通信可能となっている。
【００２１】
計測車両Ｃは、情報収集装置３と、周辺センサ４と、視線センサ５と、を有する。計測車両Ｃは、所定の経路を走行することで、周辺センサ４により検出された周辺環境等の認識情報と、視線センサ５により検出された運転者の視線情報と、を計測する（得る）車両であり、運転者が運転する手動運転車両である。なお、本実施例では、地図作成用データを計測する計測車両Ｃで説明するが、周辺センサ４と視線センサ５とを有する車両であって、情報収集装置３を搭載可能であれば計測車両Ｃ以外の車両であってもよい。
【００２２】
情報収集装置３は、周辺センサ４及び視線センサ５が検出した認識情報や視線情報等をサーバ装置１へアップロードする。情報収集装置３は、例えばナビゲーション装置等の車載機器の一部として構成されていてもよいし、単独の機器として構成してもよい。あるいは、周辺センサ４や視線センサ５を接続することができれば、ノート型ＰＣ等の可搬性のある端末機器であってもよい。
【００２３】
図２に情報収集装置３の機能的構成を示す。情報収集装置３は、制御部３１と、通信部３２と、記憶部３３と、を備えている。
【００２４】
制御部３１は、周辺センサ４及び視線センサ５が検出した認識情報及び視線情報等を記憶部３３に一時的に記憶させる。制御部３１は、記憶部３３に格納された認識情報及び視線情報等を所定時間間隔で制御部３１が読み出して通信部３２を介してサーバ装置１へ送信する。
【００２５】
通信部３２は、制御部３１が出力した認識情報及び視線情報等をサーバ装置１に送信する。
【００２６】
記憶部３３は、認識情報及び視線情報等が記憶されている。これらの情報は上述したように、サーバ装置１へ送信するために一時的に記憶されており、送信するタイミングで制御部３１により読み出される。
【００２７】
周辺センサ４は、自車位置等の自車の情報や周辺環境（周辺に存在する地物等）を認識するためのセンサであり、カメラ４ａ、ライダ４ｂと、ＧＰＳ（Global Positioning System）受信機４ｃと、を含む。また、これらのセンサ以外に加速度センサ及び速度センサ等の車両の移動（発進、停止）に関する情報を取得する車両センサ４ｄと、も含んでいる。
【００２８】
カメラ４ａは、計測車両Ｃの外界の状況を表す色付きの画像を撮影する。本実施例では、特に車両の前方を撮影するものとするが、前方に加えて車両の後方や側方を撮影するカメラを有してもよい。このカメラ４ａで撮影された画像（前方画像）は画像情報として上記した認識情報に含まれる。ライダ４ｂは、外界に存在する物体までの距離を離散的に測定し、当該物体の位置や形状等を三次元の点群として認識する。このライダ４ｂが取得した情報は点群情報として上記した認識情報に含まれる。
【００２９】
ＧＰＳ受信機４ｃは、現在の車両の位置を表す緯度及び経度の位置情報を生成する。この位置情報も上記した認識情報に含まれる。車両センサ４ｄに含まれる加速度センサは、車両の加速度を検出する。車両センサ４ｄに含まれる速度センサは、車両の速度を検出する。なお、周辺センサ４は、車両センサ４ｄとして、車両の姿勢（向きなど）を認識して他のセンサの取得データを補正するための慣性計測装置（ＩＭＵ：Inertial Measurement Unit）やジャイロセンサなどを備えてもよい。
【００３０】
視線センサ５は、例えば赤外線カメラと処理装置等で構成され、赤外線カメラで撮影した運転者の眼球部の画像を処理装置で解析して運転者の視線方向を特定する。その視線方向は視線情報として情報収集装置３の記憶部３３に記憶される。この視線情報には、後述する視線軌跡情報を作成するために、視線方向に対応した時間の情報も含まれている。
【００３１】
なお、上記した認識情報に含まれる画像情報、点群情報、車両情報及び視線情報は、位置情報と関連付けられている。
【００３２】
図３にサーバ装置１の機能的構成を示す。サーバ装置１は、制御部１１と、通信部１２と、記憶部１３と、を備えている。
【００３３】
制御部１１は、サーバ装置１のＣＰＵ（Central Processing Unit）が機能し、サーバ装置１の全体制御を司る。制御部１１は、情報収集装置３から送信された認識情報及び視線情報に基づいて、画像情報内に含まれる信号機から運転者が注視した信号機を特定し、その特定した信号機と、計測車両Ｃが停止時に位置していた車線または停止線と、の関連付けを行う。なお、本実施例では、情報収集装置３からはネットワークＮを介して情報を取得しているが、例えば計測車両Ｃの走行終了後にメモリーカード等の記憶媒体により情報を取得してもよい。
【００３４】
通信部１２は、サーバ装置１のネットワークインターフェース等が機能し、情報収集装置３が出力した認識情報及び視線情報等を受信する。即ち、通信部１２が、画像情報取得部、位置情報取得部、車両情報取得部、視線情報取得部として機能する。
【００３５】
記憶部１３は、サーバ装置１のハードディスク等の記憶装置が機能し、情報収集装置３から受信した各種情報を記憶する。記憶部１３に記憶される各種情報としては、認識情報１３１と視線情報１３２が含まれる。また、認識情報１３１には、上述した画像情報１３１ａ、位置情報１３１ｂ、車両情報１３１ｃ、点群情報１３１ｄが含まれる。
【００３６】
また、記憶部１３には、地図情報１３３も記憶されている。この地図情報１３３は、自動運転車両が自動運転にて走行するために必要な地図であり、例えば、道路幅、車線、信号機、標識等の詳細な位置情報といった道路情報を含むものである。
【００３７】
次に、上述した構成のサーバ装置１における信号機と車線或いは停止線との関連付け動作（情報処理方法）について図４のフローチャートを参照して説明する。図４に示したフローチャートは制御部１１で実行される。また、このフローチャートは、原則として計測車両Ｃの走行終了後に行う。
【００３８】
まず、ステップＳ１において、計測車両Ｃが一時停止したか否かを判断し、一時停止した場合（Ｓ１：ＹＥＳ）はステップＳ２に進み、そうでない場合（Ｓ１：ＮＯ）は本ステップで待機する。本ステップにおける判断は、記憶部１３に記憶されている車両情報１３１ｃを読み出して、車両の速度情報や加速度の情報から車両が信号等で一時停止しているか否かを判断すればよい。
【００３９】
次に、ステップＳ２において、ステップＳ１で計測車両Ｃが一時停止した位置の位置情報１３１ｂを記憶部１３から読み出す。この位置情報は、上記したように車両情報１３１ｃと関連付けられているので、一時停止と判断された車両情報１３１ｃに対応する位置情報１３１ｂを取得すればよい。そして、取得した位置情報１３１ｂに基づいて、地図情報１３３から計測車両Ｃが一時停止した車線（リンク）や停止線を特定する。
【００４０】
次に、ステップＳ３において、視線情報１３２を使用するか否かを判断し、使用する場合（Ｓ３：ＹＥＳ）はステップＳ４に進み、使用しない場合（Ｓ３：ＮＯ）はステップＳ７に進む。視線情報１３２を使わないとは、ステップＳ７で詳細に説明するが、例えば、視線情報１３２を取得しない場合等で、画像情報１３１ａ、位置情報１３１ｂ、車両情報１３１ｃのみで信号機と車線との関連付けをする場合である。
【００４１】
次に、ステップＳ４において、視線情報１３２に基づいて視線軌跡情報を作成してステップＳ５に進む。この視線軌跡情報とは、記憶部１３に記憶されている画像情報１３１ａ及び視線情報１３２を読み出して、ステップＳ１で停止していると判断された位置における画像情報１３１ａ上に、対応する視線情報１３２に含まれる視線方向の時間的な変化を軌跡として表したものである。図５に視線軌跡情報の例を示す。図５は画像情報１３１ａとして信号機が符号Ｓ１とＳ２の２つ含まれているものである。そして、符号ｅで示される線が視線軌跡情報である。
【００４２】
この視線軌跡情報は、ステップＳ１で一時停止したと判断されてから計測車両Ｃが発進するまでの間の期間について作成する。計測車両Ｃの発進についても一時停止と同様に車両の速度情報や加速度の情報から判断すればよい。
【００４３】
次に、ステップＳ５において、注視している信号機を特定しステップＳ６に進む。本ステップにおける信号機の注視の特定基準は、例えば信号機の視認した回数や時間が挙げられる。図５の場合、信号機Ｓ１を視認している回数は信号機Ｓ２を視認している回数よりも多いので、信号機Ｓ１を注視していると判断される。また、視認している時間の場合であっても、信号機Ｓ１の方が信号機Ｓ２よりも長いと考えられるので、信号機Ｓ１を注視していると特定される。即ち、視線軌跡情報（視線情報１３２）に基づいて画像情報１３１ａに含まれる信号機のうち、計測車両Ｃの運転者が注視した信号機を特定している。
【００４４】
次に、ステップＳ６において、ステップＳ５で注視していると特定された信号機と計測車両Ｃが停車している車線（リンク）又は停止線とを関連付ける。つまり、ステップＳ２で特定した車線や停止線と、ステップＳ６で特定した信号機とを関連付けて記憶部１３に記憶する。
【００４５】
図６に信号機と計測車両Ｃが停車している車線又は停止線との関連付けの具体例を示す。図６は、片側に車線ＬＡ１〜車線ＬＡ４までの４車線ある道路である。そして、車線ＬＡ１、ＬＡ２は信号機Ｓ１で通行が整理され、車線ＬＡ３、ＬＡ４は信号機Ｓ２で通行が整理されている。車線ＬＡ１、ＬＡ２の停止線をＬＩ１、車線ＬＡ３、ＬＡ４の停止線をＬＩ２とする。そして、計測車両Ｃが信号機Ｓ１の赤信号により車線ＬＡ２の停止線ＬＩ１の手前に停車したとする。
【００４６】
この場合、まず、位置情報１３１ｂと地図情報１３３から車線ＬＡ２及び停止線ＬＩ１が特定される。そして、図５のような視線軌跡情報が得られたとすると、信号機Ｓ１を注視していると特定される。したがって、地図情報１３３における車線ＬＡ２及び停止線ＬＩ１は信号機Ｓ１と関連付けられる。図６の場合は、車線ＬＡ２及び停止線ＬＩ１の両方と信号機Ｓ１を関連付けたが、いずれかのみであってもよい。
【００４７】
即ち、制御部１１（処理部）は、画像情報１３１ａ、位置情報１３１ｂ、車両情報１３１ｃ及び視線情報１３２に基づいて、画像情報１３１ａに含まれる信号機のうちの信号機Ｓ１と、計測車両Ｃの位置情報に対応付けられる車線ＬＡ２及び停止線ＬＩ１と、の対応付けを行っている。
【００４８】
一方、ステップＳ７においては、計測車両Ｃの発進と信号機の切り換えのタイミングを比較してステップＳ６に進む。本ステップは、画像情報１３１ａに含まれる信号機が赤色から青色に切り替わったタイミングと車両情報１３１ｃに基づく計測車両Ｃが発進したタイミングとを比較する。つまり、計測車両Ｃが発進した直前に赤色から青色に切り替わった信号機を計測車両Ｃの位置情報に対応付けられる車線又は停止線と関連付ける信号機と特定する。
【００４９】
なお、ステップＳ５においては、視線軌跡情報（視線情報１３２）にのみ基づいて特定していたが、上記したステップＳ７に記載した画像情報１３１ａに含まれる信号機が赤色から青色に切り替わったタイミングと計測車両Ｃが発進したタイミングとの比較も合わせて実行してもよい。つまり、視認している回数や時間が多い信号機が赤色から青色に切り替わった時に計測車両Ｃが発進した場合は、その信号機を注視していると特定する。このようにすることで、注視している信号機をより精度良く特定することができる。
【００５０】
以上の説明から明らかなように、ステップＳ１が車両情報取得工程として機能し、ステップＳ２が位置情報取得工程として機能し、ステップＳ４が画像情報取得工程として機能し、ステップＳ６が処理工程として機能する。
【００５１】
本実施例によれば、サーバ装置１は、通信部１２が計測車両Ｃの前方を撮影した画像情報１３１ａ、計測車両Ｃの位置情報１３１ｂ、計測車両Ｃの停止及び発進に関する車両情報１３１ｃ、及び、計測車両Ｃの運転者の視線情報１３２を取得する。そして、制御部１１が画像情報１３１ａ、位置情報１３１ｂ、車両情報１３１ｃ及び視線情報１３２に基づいて、画像情報１３１ａに含まれる信号機のうちの一の信号機と計測車両Ｃの位置情報に対応付けられる車線及び停止線の少なくともいずれかとの対応付けを行う。このようにすることにより、運転者の視線情報を利用して、当該計測車両Ｃの位置していた車線或いは停止線と信号機との関連付けを自動的に行うことができる。そのため、関連付け作業の負担を軽減することができる。また、視線という実際の運転者の挙動に基づいているので、精度良く関連付けをすることができる。
【００５２】
また、制御部１１は、視線情報に基づいて画像に含まれる信号機のうち、計測車両Ｃの運転者が注視した信号機を特定している。このようにすることにより、運転者の視線情報により注視した信号機を特定することができる。したがって、当該計測車両Ｃは、この特定された信号機に従って通行したことが分かるため、当該計測車両Ｃの位置情報により、当該計測車両Ｃが位置していた車線或いは停止線と信号機との関連付けを自動的に行うことができる。
【００５３】
また、制御部１１は、信号機の視認回数に基づいて運転者が注視した信号機を特定してもよい。このようにすることにより、例えば複数回運転者が視認した信号機を運転者が注視した信号機と特定することができる。
【００５４】
また、制御部１１は、信号機の視認時間に基づいて運転者が注視した信号機を特定してもよい。このようにすることにより、例えば視認時間が長い信号機を運転者が注視した信号機と特定することができる。
【００５５】
また、通信部１２で、計測車両Ｃの発進及び停止に関する情報を取得し、制御部１１は、画像に含まれる信号機のうち赤色から青色に切り替わったタイミングと、車両が発進したタイミングと、に基づいて信号機のうちの一の信号機と、位置情報に対応付けられる車線及び停止線の少なくともいずれかと、の対応付けを行ってもよい。このようにすることにより、画像情報と車両情報で対応付けが可能となり、視線の検出が不要となる。
【００５６】
なお、本発明は上記実施例に限定されるものではない。即ち、当業者は、従来公知の知見に従い、本発明の骨子を逸脱しない範囲で種々変形して実施することができる。かかる変形によってもなお本発明の情報処理装置を具備する限り、勿論、本発明の範疇に含まれるものである。
【符号の説明】
【００５７】
１        サーバ装置（情報処理装置）
３        情報収集装置
１１      制御部（処理部）
１２      通信部（画像情報取得部、位置情報取得部、車両情報取得部、視線取得部）
１３      記憶部
Ｓ１      一時停止（車両情報取得工程）
Ｓ２      位置情報取得（位置情報取得工程）
Ｓ４      視線軌跡情報作成（画像情報取得工程）
Ｓ６      信号機と車線、停止線とを関連付け（処理工程）
【図１】
2019066191.tif 000003
【図２】
2019066191.tif 000004
【図３】
2019066191.tif 000005
【図４】
2019066191.tif 000006
【図５】
2019066191.tif 000007
【図６】
2019066191.tif 000008